(57)【要約】      （修正有）【課題】汎用のコンピュータに搭載可能である上、筐体内外の空気清浄機能を搭載したコンピュータを提供する。【解決手段】コンピュータ筐体6の空冷式吸気ファン1及び排気ファン5の近傍に、酸化チタン添加の活性炭を使用した濾過構造物フィルター3（3´）と、濾過構造物フィルター3（3´）を挟持する酸化チタンコーティングのフィルタ-2a,2b（2a´,2ｂ´）とから成る三重構造のフィルターをそれぞれ設ける。当該コンピュータのスイッチ8が入ると、吸気及び排気ファン1,5の近傍に設けた三重構造のフィルター2a,3,2b（2a´,3´,2ｂ´）に対して、紫外線ブラックライト4から紫外線が照射され、空冷用に吸引した空気が三重構造のフィルタ-に対して吸気及び排気を行なう際に、一対の酸化チタンコーティングフィルター2a,2b（2a´,2ｂ´）を通過する事により、塵芥・臭気・細菌・カビ類・ダニの屍骸及びフン・花粉等の有機物を吸収・分解する。【選択図】図３
0003116821.tif 000002
【実用新案登録請求の範囲】
【請求項１】
コンピュータ筐体内部の空冷式ファンの近傍に、酸化チタン添加の活性炭を使用した濾過構造物フィルターと該濾過構造物フィルターを挟持する、酸化チタンコーティングの一対のフィルタ-とから成る三重構造のフィルターを設けると共に紫外線照射体を設け、当該コンピュータのスイッチが入ると、前記三重構造のフィルターに対して、前記紫外線照射体から紫外線が照射され、空冷用に吸引した空気が、前記三重構造のフィルタ-中の濾過構造物フィルターに対して吸気及び排気を行なう際に、前記一対の酸化チタンコーティングフィルターを通過する事により、塵芥・臭気・細菌・カビ類・ダニの屍骸及びフン・花粉から成る有機物を吸収・分解することを特徴とする空気清浄機能搭載コンピュータ。
【請求項２】
前記三重構造のフィルターを、放熱用の吸気及び排気の両ファンの近傍にそれぞれ設け、空気流に対して垂直に設置することを特徴とする請求項1に記載の空気清浄機機能搭載コンピュータ。
【考案の詳細な説明】
【技術分野】
【０００１】
本考案は、一種の複合機的機能を持った、光触媒による空気清浄機能搭載コンピュータに関する。特に、コンピュータの電源と放熱ファンを利用し、光触媒と紫外線の作用により、コンピュータ筐体内外の空気に対して、塵芥・臭気・細菌・カビ類・ダニの屍骸及びフン・花粉等の有機物を吸収・分解する機能を有する空気清浄機能搭載コンピュータに関する。  
【背景技術】
【０００２】
従来の空気清浄機能搭載コンピュータは、コンピュータの拡張用ベイに挿入する方を採用している考案で有った。（特許文献1参照）
【特許文献１】実用新案登録第３０９７４３４号  （図5）
【０００３】
このものは、光触媒効果を得るためのカートリッジをコンピュータの拡張用ベイに挿入するカートリッジ方式であり、独立したコンピュータ周辺機器を別個に構成する必要がある。また、カートリッジを拡張ベイに格納して、コンピュータ筐体外部空気の浄化を目的とするに過ぎず、コンピュータ内部空間の全てに光触媒の効果を発揮する事が出来ない。即ち、以下の問題点が有る。
【０００４】
第一に、筐体内部空気全体への清浄機能が得られない。  拡張スロットにカートリッジ取り付ける方式であるため、当該スロットのみが清浄されることが予想される。考案者は過去9年間PC修理業務に従事した経験から、コンピュータ故障・不具合の一因は、筐体内部に蓄積する塵芥や、カビ・ダニ・花粉等の有機物であることを発見した。
【０００５】
金属筐体とは異なり、マザーボード・メモリ等コンピュータの主要な電子部品は薬品類でのクリーニングの方法が困難でありながら、最も清浄化が求められる部分である。筐体内部に通流する空気が清浄化されると、上記有機物が減少し、コンピュータ内部の電子部品が浄化され、耐用年数が延長すると考えられる。  
【０００６】
第二に、現在主流のデスクトップコンピュータにはスペースの都合から、設置が不可能である。最近のコンピュータは小型化し、拡張ベイの無い省スペース型デスクトップが一般的であるため、従来のカートリッジ式空気清浄機能を取り付けられるコンピュータの適応範囲は相対的に減少している。
【考案の開示】
【考案が解決しようとする課題】
【０００７】
これらの改善策として、本考案は、汎用のコンピュータに搭載可能である上、筐体内外の空気の清浄機能を搭載したコンピュータを提供することを課題とする。
【課題を解決するための手段】
【０００８】
上記課題を解決するため、本考案は、コンピュータ筐体内部の空冷式ファンの近傍に、酸化チタン添加の活性炭を使用した濾過構造物フィルターと、濾過構造物フィルターを挟持する一対の酸化チタンコーティングのフィルタ-とから成る三重構造のフィルターを設けると共に紫外線照射体を設け、当該コンピュータのスイッチが入ると、前記三重構造のフィルターに対して、前記紫外線照射体から紫外線が照射され、空冷用に吸引した空気が前記三重構造のフィルタ-中の濾過構造物フィルターに対して吸気及び排気を行なう際に前記一対の酸化チタンコーティングフィルターを通過する事により、塵芥・臭気・細菌・カビ類・ダニの屍骸及びフン・花粉等の有機物を吸収・分解する。
【０００９】
これによれば空冷用に吸引した空気が前記三重構造フィルタ-中の濾過構造物フィルターに対して吸気を行なう際に、一対の酸化チタンコーティングフィルターの一方を通過すると、光触媒効果により吸収・分解するような空気清浄作用が得られる。さらに吸収・分解された有機物が濾過フィルターで濾過された後に一対の酸化チタンコーティングフィルターの他方を通過すると、再び光触媒効果により吸収・分解するような空気清浄作用が得られる。そしてその後、この空気はコンピュータ外部に放出される。さらに、活性炭を使用した濾過構造物フィルターによる脱臭効果も得られる。
【００１０】
この場合、前記三重構造のフィルターを放熱用の吸気及び排気の両ファンの近傍にそれぞれ設けることにより、二回に亘る空気清浄作用が得られる。また、これら三重構造のフィルターが、空気流に対して垂直に設置されることにより、空冷用に吸引した空気が前記三重構造フィルタ-の面積に対して効率的に接触し通過することになり、効果的な吸収・分解効果が得られる。
【考案の効果】
【００１１】
本考案によれば、コンピュータの放熱ファンと光触媒技術を組み合わせ、コンピュータに空気清浄機を内蔵させる事により、紫外線と酸化チタンによる光触媒効果が得られ、また、有害有機物の除去、アレルギー誘引物質の除去及び活性炭による脱臭効果も得られる。そして、コンピュータ内部電源を利用して運転しているため、省エネルギー効果も得られる。さらにコンパクトな設計が可能となる。
【考案を実施するための最良の形態】
【００１２】
図1は、本考案に使用する三重構造フィルターの局部構造を示すものである。吸気ファン1の近傍に、一定の間隔を空けて設けられた酸化チタンコーティングフィルター2a,2bと、その間に設けられた酸化チタン添加の活性炭を使用した濾過構造物フィルター3とからなる三重構造フィルターが、紫外線ブラックライト4の照射範囲に設置される。紫外線ブラックライト4から紫外線が照射された状態で、吸気ファン1から冷却用空気が吸引されると、酸化チタンコーティングフィルター2aを空気が通過する際に、空気中の塵芥・臭気・細菌・カビ類・ダニの屍骸及びフン・花粉等の有機物を吸収・分解される（第一段階の空気清浄効果）。酸化チタンコーティングフィルター2aを通過した空気は、さらに、酸化チタン添加の活性炭を使用した濾過構造物フィルター3を通過することにより、脱臭化される。そしてその後、酸化チタンコーティングフィルター2bを通過する際に、塵芥・臭気・細菌・カビ類・ダニの屍骸及びフン・花粉等の有機物が吸収・分解される（第二段階の空気清浄効果）。
【００１３】
図2はこの三重構造フィルターを搭載したコンピュータの側面図である。このコンピュータでは、吸気ファン1および排気ファン5が、コンピュータハウジング6の前後両端に設けられ、さらに、これらの内側に三重構造のフィルターがそれぞれ設けられている。なお、コンピュータハウジング6の下方にはマザーボード7が設置され、前面のメインスイッチ8を入れると、ＣＰＵ9が起動する。さらに、コンピュータハウジング6の前面側にはＣＤ-ＲＯＭ10が設置され、その真下にＦＤ11が設置されている。また背面側にはＰＣ電源12が設置されており、中央部分に紫外線ブラックライト電源ユニット13と紫外線ブラックライト4が設置されている。吸気ファン1近傍に、酸化チタンを塗布した光触媒フィルター2ａと、活性炭濾過構造物光触媒フィルター3と、酸化チタンを塗布した光触媒フィルター2ｂの三重構造の光触媒フィルターが設置されている。そこでコンピュータ運転時に紫外線ブラックライト4から紫外線を照射した状態で、吸引された空気がフィルターを通過することにより、光触媒効果が発揮され、第一回目の空気清浄が行われる。
【００１４】
排気ファン5の近傍に、酸化チタンを塗布した光触媒フィルター2ａ´と、活性炭濾過構造物光触媒フィルター3´と、酸化チタンを塗布した光触媒フィルター2ｂ´とからなる三重構造フィルターが設置されている。吸気ファン1の近傍で浄化された空気が、排気ファン5に向かって送出される際に、紫外線ブラックライト4から紫外線を照射した状態で、三重構造の光触媒フィルターを再び通過することにより、光触媒効果が発揮され、第二回目の空気清浄が行われる。そして、二回に亘り浄化された空気は、排気ファン5からコンピュータ外に放出される。
【００１５】
図3はコンピュータの上面図である。吸気ファン1から吸引され、排気ファン5から排出される空気は、二つの三重構造フィルターを通過する際に、二回に亘り浄化される。この時、三重構造フィルターは、それぞれ空気流に対して垂直に設置されているので、フィルター面の面積に対して効率的に接触し通過することになり、効果的な吸収・分解効果が得られる。
【実施例１】
【００１６】
図2及び図3に示す本機を使用して、たばこの煙を含む空気を吸引、排気した後、その排気中のアンモニア、アセトアルデヒド、酢酸の残留量を計測した。計測方法は、日本電機工業会規格ＪＥＭ1467家庭用空気清浄機7.10脱臭性能試験に準拠した。この結果、表1及び図4に示す結果が得られた。表1及び図4に示す通り、本機を運転することにより、最初に紫外線を照射した後、時間の経過に伴って、空気中の各成分の減少が保たれている事が判る。
【００１７】
【表１】
0003116821.tif 000003
【実施例２】
【００１８】
数日経過後、たばこの煙を含む空気を吸引、排気した後、その排気中のアンモニア、アセトアルデヒド、酢酸の残留量を計測したところ、表2及び図5に示す結果が得られた。これらから、数日間の本機運転の停止にもかかわらず、アンモニア・アセトアルデヒド・酢酸の初期値には、前回と比べて大幅な増加がみられない。さらに、この空気に対して本機の運転を行なうと、空気中のアンモニア・アセトアルデヒド・酢酸が、再び減少することがしめされている。
【００１９】
【表２】
0003116821.tif 000004
【図面の簡単な説明】
【００２０】
【図１】本考案の局部構造を表す図である。
【図２】本考案の側面図である。
【図３】本考案の上面図である。
【図４】実施例1による空気中不純物量の経時変化を示すグラフ図である。
【図５】実施例2による空気中不純物量の経時変化を示すグラフ図である。
【符号の説明】
【００２１】
１  吸気ファン
2a  2a´  酸化チタンを塗布した光触媒フィルター
2ｂ  2ｂ´  酸化チタンを塗布した光触媒フィルター
3  3´  活性炭濾過構造物光触媒フィルター
4  紫外線ブラックライト
5  排気ファン
6  コンピュータハウジング
7  マザーボード
8  メインスイッチ
9  ＣＰＵ
10  CD-ROM 
11  ＦＤ
12  ＰＣ電源
13  紫外線ブラックライト電源ユニット
【図１】
0003116821.tif 000005
【図２】
0003116821.tif 000006
【図３】
0003116821.tif 000007
【図４】
0003116821.tif 000008
【図５】
0003116821.tif 000009